【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
メッセージ処理方法であって：
サービスメッセージを送信するための送信時間の長さを発呼者により計算し、且つ、前記送信時間の長さに従って、制御ノードからの占有期間を申請するステップと；
前記発呼者からの前記占有期間のための申請メッセージの受信時、前記制御ノードによって、所定の規則に従って前記発呼者の前記占有期間の申請結果を決定し、且つ、前記対応する発呼者に前記申請結果をフィードバックするステップと；
前記占有期間の受信した申請結果が成功である場合、前記発呼者によって、前記サービスメッセージの送信時間を計算するステップと；
前記サービスメッセージの前記送信時間が超過することを、前記発呼者が監視する場合、前記発呼者によって、前記制御ノードからの前記サービスメッセージの送信トークンを申請するステップと；
前記発呼者からの前記送信トークンに対する申請メッセージの受信時、前記制御ノードによって、被呼者の最大サービス処理能力に達したかどうかに従って、前記発呼者の前記送信トークンの申請結果を決定し、且つ、前記対応する発呼者に前記申請結果をフィードバックするステップと；
前記サービスメッセージの前記送信トークンの受信した申請結果が成功である場合、前記発呼者によって、前記送信トークンが首尾よく申請された前記サービスメッセージを送信するステップと；を備える、
メッセージ処理方法。
【請求項２】
メッセージ処理方法であって：
サービスメッセージを送信するための送信時間の長さを計算し、且つ、前記送信時間の長さに従って占有期間を申請する第１の申請メッセージを送信するステップと；
前記占有期間の受信した申請結果が成功である場合、前記サービスメッセージの送信時間を計算するステップと；
現在の時間が前記サービスメッセージの前記送信時間を超えるかどうかを監視し、且つ、前記現在の時間が前記送信時間を超えることが監視された場合、前記サービスメッセージの送信トークンを申請する第２の申請メッセージを送信するステップと；
前記送信トークンの受信した申請結果が成功である場合、前記送信トークンが首尾よく申請された前記サービスメッセージを送信するステップと；を備える、
メッセージ処理方法。
【請求項３】
前記送信時間の長さに従って占有期間を申請する第１の申請メッセージを送信する前記ステップは、
制御ノードの最新の占有時点を取得し、且つ、前記取得した最新の占有時点に前記送信時間の長さを加えて前記占有期間として採用する第１の申請メッセージを前記制御ノードに送信するステップを備える、
請求項２に記載のメッセージ処理方法。
【請求項４】
前記方法が：
前記占有期間の受信した申請結果が失敗である場合、取得した、更新された最新の占有時点及び前記送信時間の長さに従って、新たな占有期間を計算するステップと；
前記新たな占有期間を含む第１の申請メッセージを送信するステップと；を更に備える、
請求項２に記載のメッセージ処理方法。
【請求項５】
前記方法が：
前記送信トークンの受信した申請結果が失敗である場合、トークン申請適用時間を取得するステップと；
前記トークン申請適用時間に達した場合、前記送信トークンが失敗して申請された前記サービスメッセージの第２の申請メッセージを再送信するステップと；を更に備える、
請求項２に記載のメッセージ処理方法。
【請求項６】
メッセージ処理方法であって：
占有期間及び送信トークンを申請する申請メッセージを受信するステップと；
所定の規則に従って前記占有期間の申請結果を決定し、且つ、前記占有期間の前記申請結果を送信するステップと；
被呼者の最大サービス処理能力に達したかどうかに従って、前記送信トークンの申請結果を決定し、且つ、前記送信トークンの前記申請結果を送信するステップと；を備える、
メッセージ処理方法。
【請求項７】
前記方法は：
前記占有期間の前記申請結果が成功である場合、制御ノードの最新の占有時点を更新するステップを更に備える、
請求項６に記載のメッセージ処理方法。
【請求項８】
前記方法は：
前記被呼者の前記最大サービス処理能力に達した場合、前記被呼者の最も近いサービスアクセス利用可能時間を取得し、且つ、前記最も近いサービスアクセス利用可能時間をトークン申請適用時間として採用するステップを更に備える、
請求項６に記載のメッセージ処理方法。
【請求項９】
メッセージ処理装置であって：
サービスメッセージを送信するための送信時間の長さを計算し、前記送信時間の長さに基づいて前記サービスメッセージを送信するための占有期間を計算するように構成された計算モジュールと；
前記占有期間を申請する第１の申請メッセージを送信するように構成された期間申請モジュールと；
前記占有期間及び送信トークンの申請結果のメッセージを受信するように構成された受信モジュールと；
前記占有期間の申請結果が成功であることを示す受信メッセージに基づいて、前記サービスメッセージの送信時間を計算するように構成された送信時間計算モジュールと；
現在の時間が前記サービスメッセージの前記送信時間を超えるかどうかを監視し、且つ、前記現在の時間が前記送信時間を超えることが監視された場合、前記サービスメッセージの送信トークンを申請する第２の申請メッセージを送信するように構成されたトークン申請モジュールと；
前記送信トークンの申請結果が成功であることを示す受信メッセージに基づいて、前記送信トークンが首尾よく申請された前記サービスメッセージを送信するように構成された送信モジュールと；を備える、
メッセージ処理装置。
【請求項１０】
前記計算モジュールは：
制御ノードの最新の占有時点を取得するように構成された占有時点モジュールと；
前記取得した最新の占有時点と前記送信時間の長さとから計算される期間を前記占有期間として採用するように構成された占有期間モジュールと；を備える、
請求項９に記載のメッセージ処理装置。
【請求項１１】
前記装置は：
前記占有期間の受信した申請結果が失敗である場合、前記計算モジュールによって、取得した最新の占有時点に従って前記サービスメッセージの新たな占有期間を計算し、且つ、前記新たな占有期間を含む第１の申請メッセージを前記期間申請モジュールに送信するように構成された第１の申請失敗処理モジュールを更に備える、
請求項９に記載のメッセージ処理装置。
【請求項１２】
前記装置は：
前記送信トークンの受信した申請結果が失敗である場合、トークン申請適用時間を取得し、且つ、前記トークン申請適用時間に達すると、前記送信トークンが失敗して申請された前記サービスメッセージの第２の申請メッセージを再送信する命令を、前記送信モジュールに発行するように構成された第２の申請失敗処理モジュールを更に備える、
請求項９に記載のメッセージ処理装置。
【請求項１３】
メッセージ処理装置であって：
占有期間を含む申請メッセージを受信するように構成され、更に、送信トークンに対する申請メッセージを受信するように構成された申請メッセージ受信モジュールと；
所定の規則に従って、サービスメッセージの占有期間を前記申請メッセージ内の前記占有期間に割り当てるように構成された占有時間割り当てモジュールと；
現在のサービスフロー及び被呼者の最大サービス処理能力に従って、送信トークンを割り当てるように構成されたトークン割り当てモジュールと；
前記占有期間の申請結果を示すメッセージを送信するように構成され、更に、前記送信トークンの申請結果を示すメッセージを送信するように構成された申請結果送信モジュールと；を備える、
メッセージ処理装置。
【請求項１４】
前記装置は：
前記占有期間が前記サービスメッセージに割り当てられた後、前記占有時間割り当てモジュールの最新の占有時点を更新するように構成された占有時点更新モジュールを更に備える、
請求項１３に記載のメッセージ処理装置。
【請求項１５】
前記装置は：
前記被呼者の前記最大サービス処理能力に達した場合、前記被呼者の最も近いサービスアクセス利用可能時間を取得し、前記最も近いサービスアクセス利用可能時間をトークン申請適用時間として採用するように構成されたトークン申請時間モジュールを更に備える、
請求項１３に記載のメッセージ処理装置。
【請求項１６】
メッセージ処理システムであって：
送信時間の長さに基づいて設定された占有期間のための第１の申請メッセージを制御端末に送信し；前記占有期間の申請結果が成功であることを示す受信メッセージに基づいて、サービスメッセージの送信時間を計算し；現在の時間が前記サービスメッセージの前記送信時間を超えるかどうかを監視し、且つ、前記現在の時間が前記送信時間を超えることが監視された場合、前記サービスメッセージの送信トークンを申請する第２の申請メッセージを前記制御端末に送信し；そして、前記送信トークンの申請結果が成功であることを示す受信メッセージに基づいて、前記送信トークンが首尾よく申請された前記サービスメッセージを送信するように構成されたメッセージクライアント端末と、
前記メッセージクライアント端末によって送信された前記第１の申請メッセージ及び前記第２の申請メッセージを受信し；所定の規則に従って、前記サービスメッセージの占有期間を前記第１の申請メッセージ内の前記占有期間に割り当て；現在のサービスフロー及び被呼者の最大サービス処理能力に従って、送信トークンを前記第２の申請メッセージ内の前記サービスメッセージに割り当て；そして、前記第１の申請メッセージ及び前記第２の申請メッセージの申請結果を前記メッセージクライアント端末に送信するように構成された前記制御端末と、を備える、
メッセージ処理システム。